(57)【要約】      （修正有）【課題】近づいたら印刷するように印刷ジョブを送信した後、ユーザが画像形成装置に近付いたら、印刷ジョブは印刷され、印刷中の印刷ジョブ状況を確認する画面が表示され、印刷ジョブ状況の確認画面から、印刷ジョブを途中で中断する事が容易に操作できる画像形成装置を提供する。【解決手段】近付いたユーザを検知して印刷を開始した時、画像形成装置の画面上に近づいたユーザの印刷ジョブの実行状況（印刷済み・印刷中・印刷待ち）を表示すると共に、印刷中断の為の操作ボタンを用意する事で、印刷中断（一時停止）を可能にする。一時停止された印刷ジョブは、ユーザが離れた後、再度近づいたら印刷する為の印刷ジョブとして画像形成装置に蓄積する。【選択図】図１
2016203566.tif 000002
【特許請求の範囲】
【請求項１】
印刷ジョブを送信する外部端末、および前記送信された印刷ジョブを印刷する画像形成装置を有する印刷システムであって、
前記外部端末は、
前記画像形成装置に近づいたユーザを検知して印刷を開始する為の設定、およびユーザ情報を印刷ジョブに設定する印刷設定手段と、
前記印刷設定手段により設定された印刷ジョブを前記画像形成装置に送信する送信手段と、を有し、
前記画像形成装置は、
前記画像形成装置に近付いたユーザを検知し、近づいたユーザのユーザ情報を取得するユーザ検知手段と、
前記外部端末と接続する外部インターフェースと、
前記外部インターフェースより受信した印刷ジョブの前記ユーザ検知設定手段によるユーザ情報と印刷ジョブを関連付けて蓄積する蓄積手段と、
前記ユーザ検知手段により検知されたユーザ情報の印刷ジョブが前記蓄積手段に有る場合、その印刷ジョブの印刷を開始する印刷手段と、
印刷中に検知されたユーザ情報の印刷ジョブの状況を表示する表示手段と、
未だ印刷されていない印刷ジョブの印刷を中断する為の入力手段と、を有し、
前記入力手段により印刷ジョブの印刷が中断された場合、前記ユーザ検知手段により検知されたユーザが検知されない状態に変化した時、中断された印刷ジョブを前記蓄積手段に戻すことを特徴とする印刷システム。
【請求項２】
画像形成装置であって、
前記画像形成装置に近づいたユーザを検知し、近づいたユーザのユーザ情報を取得するユーザ検知手段と、
外部端末と接続する外部インターフェースと、
前記外部インターフェースより受信した印刷ジョブのユーザ情報と印刷ジョブを関連付けて蓄積する蓄積手段と、
前記ユーザ検知手段により検知されたユーザ情報の印刷ジョブが前記蓄積手段に有る場合、その印刷ジョブの印刷を開始する印刷手段と、
印刷中に検知されたユーザ情報の印刷ジョブの状況を表示する表示手段と、
未だ印刷されていない印刷ジョブの印刷を中断する為の入力手段と、を有し、
前記入力手段により印刷が中断された場合、前記ユーザ検知手段により検知されたユーザが検知されない状態に変化した時、中断された印刷ジョブを前記蓄積手段に戻すことを特徴とする画像形成装置。
【請求項３】
画像形成装置に近づいたら印刷する印刷ジョブを受信する画像形成装置の制御方法であって、
印刷ジョブを受信し、当該印刷ジョブのユーザ情報と印刷ジョブを関連付けて蓄積する蓄積ステップと、
前記画像形成装置に近付いたユーザを検知し、近づいたユーザのユーザ情報を取得するユーザ検知ステップと、
前記蓄積ステップにより蓄積された印刷ジョブから前記ユーザ検知ステップにより取得したユーザ情報と一致する印刷ジョブを特定する為の印刷ジョブ確認ステップと、
前記ユーザ検知により検知されたユーザ情報の印刷ジョブが有る場合、検知されたユーザの印刷ジョブの印刷を開始する印刷ステップと、
印刷中に検知されたユーザ情報の印刷ジョブの状況を表示する表示ステップと、
未だ印刷されていない印刷ジョブの印刷を中断する為の入力ステップと、
前記入力ステップにより印刷が中断された場合、前記ユーザ検知ステップにより検知されたユーザが検知されない状態に変化した時、中断された印刷ジョブを前記蓄積ステップにより中断された印刷ジョブを再度蓄積するステップと、
を有することを特徴とする制御方法。
【請求項４】
請求項３に記載の制御方法を有するプログラムを備えた記憶媒体。
【発明の詳細な説明】
【技術分野】
【０００１】
本発明は、印刷ジョブを送信したユーザが画像形成装置に近づいた事を検知する画像形成装置、印刷システム、画像形成装置の制御方法に関する。
【背景技術】
【０００２】
従来、セキュアプリント機能などでユーザがジョブを送信した後、認証して印刷ジョブを印刷するものが有る（例えば、特許文献１参照）。特許文献１では、印刷ジョブをユーザが携帯するＩＤカードで管理し、ＩＤカードを検知したら、ＩＤカードのＩＤ番号に対応する印刷ジョブの一覧を表示し、ユーザは一覧から印刷ジョブを選択して印刷する。そして、ユーザが装置の前に来て、印刷ジョブの一覧表示から印刷ジョブの選択を行ってから印刷が開始される。
【０００３】
また、画像形成装置が端末装置の接近を検知し、端末装置の識別情報を含む印刷ジョブを印刷するものがある（例えば、特許文献２参照）。特許文献２では、端末装置の識別情報を含む印刷ジョブを画像形成装置に蓄積し、画像形成装置は、端末装置の接近を検知し、識別情報が一致する印刷ジョブを印刷する。そこでは、端末装置を携帯したユーザが装置に接近した時に、識別情報が一致した印刷ジョブが全て印刷されてしまう。
【先行技術文献】
【特許文献】
【０００４】
【特許文献１】特開２０００−１７７２１２号公報
【特許文献２】特開２００５−２９２８７７号公報
【発明の概要】
【発明が解決しようとする課題】
【０００５】
従来技術では、印刷物の放置を防ぐために、ユーザ認証後に印刷ジョブを選択してから印刷ジョブを印刷するようにしているが、印刷ジョブを選択操作する必要が有り、選択後は、印刷終了まで待たなければならない。また、近付いた端末装置で認証して、印刷ジョブを印刷する場合に関しては、印刷ジョブが複数有る場合や印刷ジョブが大量ページの場合、やはり印刷終了までユーザは待たなければならない。さらに、印刷終了待ち状態で画像形成装置の前から離れなければならない場合、印刷途中のまま離れると、印刷物が放置状態になってしまう。そこで、印刷を停止する為のキャンセル操作を行う事も可能だが、印刷指示したユーザとしては、再度キャンセルした印刷ジョブを送信する事になる。
【課題を解決するための手段】
【０００６】
そこで、本発明における印刷システムは、画像形成装置に印刷ジョブを送信する外部端末および印刷ジョブを印刷する画像形成装置からなる印刷システムであって、前記外部端末は、前記画像形成装置に近づいたユーザを検知して印刷を開始する為の設定およびユーザ情報を印刷ジョブに設定する印刷設定手段と、前記印刷設定手段により設定された印刷ジョブを前記画像形成装置に送信する送信手段を有し、前記画像形成装置は、前記画像形成装置に近づいたユーザを検知し、近づいたユーザのユーザ情報を取得するユーザ検知手段と、前記外部端末と接続する外部インターフェースと、前記外部インターフェースより受信した印刷ジョブの前記ユーザ検知設定手段によるユーザ情報と印刷ジョブを関連付けて蓄積する蓄積手段と、前記ユーザ検知手段により検知されたユーザ情報の印刷ジョブが前記蓄積手段に有る場合、その印刷ジョブの印刷を開始する印刷手段と、印刷中に検知されたユーザ情報の印刷ジョブの状況を表示する表示手段と、未だ印刷されていない印刷ジョブの印刷を中断する為の入力手段とを有し、前記入力手段により印刷ジョブの印刷が中断された場合、前記ユーザ検知手段により検知されたユーザが検知されない状態に変化した時、中断された印刷ジョブを前記蓄積手段に戻すことを特徴とする。
【発明の効果】
【０００７】
本発明の印刷システムによれば、近づいたら印刷するように印刷ジョブを送信した後、ユーザが画像形成装置に近付いたら、印刷ジョブは印刷され、印刷中の印刷ジョブ状況を確認する画面が表示される。また、印刷ジョブ状況の確認画面から、印刷途中での中断指示が行う事が可能となり、印刷ジョブを途中で中断する事が容易に操作できる。
【図面の簡単な説明】
【０００８】
【図１】実施形態としてのコンピュータを含むシステムの構成図である。
【図２】画像形成装置のブロック図である。
【図３】コンピュータと画像形成装置の各処理のブロック図である。
【図４】画像形成装置の印刷ジョブ制御フロー図である。
【図５】画像形成装置のパネル上に表示される印刷ジョブ状況表示例である。
【図６】近づいたら印刷ジョブを送信する為のドライバ設定画面である。
【図７】印刷ジョブの印刷パラメータと印刷データを示した図である。
【図８】プリンタドライバの“近づいたら印刷”の印刷ジョブ設定処理フロー図である。
【図９】印刷ジョブの受信制御フロー図である。
【発明を実施するための形態】
【０００９】
以下、本発明を実施するための形態について図面を用いて説明する。
【００１０】
図１は本発明による印刷システムの構成図である。印刷システムは、画像形成装置１００と外部端末としてＰＣ１０２、ＰＣ１０３から構成され、本図では、ネットワークＬＡＮ１０６経由で画像形成装置１００と接続されている。ここで、画像形成装置とＰＣは、ネットワークＬＡＮの他にＵＳＢ、無線ＬＡＮ等で接続されても良い。画像制御装置１００は、ユーザ判別センサ１０１を有し、ユーザ判別センサ１０１は、ユーザ判別領域１０８の中に接近したユーザ情報を画像形成装置１００に送信する。
【００１１】
“近づいたら”印刷ジョブ一覧１０７は、“近づいたら印刷”設定された印刷ジョブの格納状況を示しており、ユーザ情報とジョブ番号で管理し、ここでは、ユーザＡが印刷ジョブ１，２，４を格納、ユーザＢが印刷ジョブ３，５を格納している事を示している。
【００１２】
図１において、外部端末ＰＣ１０２は、ユーザＡによりユーザ情報Ａを設定した“近づいたら印刷”ジョブを画像形成装置１００に事前に送信する。画像形成装置１００は、ユーザ判別センサによりユーザＡの接近を検知したら、検知したユーザＡのユーザ情報が設定された印刷ジョブ１，２，４を印刷する。この時、画像形成装置１００は、図６にて説明するＰＡＮＥＬのＬＣＤ２１１にて自分の印刷ジョブが印刷されている事を確認し、タッチパネル２１２により印刷中の印刷ジョブの中断、中止を指示できる。
【００１３】
ユーザ判別センサ１０１は、カメラによる画像解析とユーザＡの登録画像からユーザ情報を検知する。または、ユーザＡが携帯しているＩＤカードのカード情報を元にユーザ情報を検知する。または、ユーザＡが携帯している携帯端末との無線通信からユーザ情報を検知する。など、様々な手段を想定しており、ユーザＡの容姿を抽出して検知するか、ユーザＡが身につけているものから検知する事が可能である。
【００１４】
図２は本発明による画像形成装置１００の詳細な構成を示すブロック図である。画像形成装置１００は、ＲＯＭ２０２に記憶されたソフトウェアを実行するＣＰＵ２００を備える。ＣＰＵ２００は、画像形成装置１００のシステムバス２００に接続された各デバイスを総括的に制御する。ＲＯＭ２０２は、不揮発性メモリであり、ユーザ判別センサ２０８、印刷ジョブ、記録装置２０６、外部Ｉ／Ｆ２０５、ＰＡＮＥＬ２０７の制御プログラム・ドライバを格納する。ＲＡＭ２０３は、揮発性メモリであり、ＣＰＵ１０１の主メモリ、ワークエリア、印刷ジョブのデータを一時的に保存する記憶域として機能する。
【００１５】
ＳＲＡＭ／ＨＤＤ２０４は、不揮発性メモリ、ハードディスクであり、ユーザ情報２１０、各デバイスを制御する為の設定値、外部端末との接続情報（ネットワーク設定）等、設定値を格納する。外部インターフェース２０５は、ネットワークへの接続インターフェースで、外部のＰＣからの印刷ジョブを受信する。また、ネットワーク以外にも、ＵＳＢ、ブルートゥース、無線など外部端末と接続可能なインターフェースは、全て外部インターフェース２０５として機能し、複数の外部インターフェースを有する構成も有る。
【００１６】
記録装置２０６は、受信した印刷ジョブを記録媒体に印刷する装置で、電子写真方式あるいはインクジェット方式等で実現される紙への印刷部である。外部入力コントローラ（ＰＡＮＥＬ）２０７は、印刷ジョブの中断、中止指示をするための各種キーやボタン、タッチパネルを備え、更に、液晶ディスプレイ、ＬＥＤなどで構成される表示モジュールを有する。
【００１７】
ユーザ判別センサ２０８は、画像形成装置１００に近付いたユーザを検知し、検知したユーザのユーザ情報をＣＰＵ２０１に通知する為のセンサで有る。ＨＤＤ２１４は、外部インターフェースから受信した印刷ジョブのデータを格納する為の記憶デバイスである。
【００１８】
図３は画像形成装置１００と外部端末ＰＣ１０２が直接接続、あるいはネットワーク経由で接続されている場合の印刷処理の構成図である。アプリケーション３０１、プリンタドライバ３０２、およびシステムスプーラ２０４は、ＰＣ１０２に内蔵されているＨＤＤなどの外部メモリ（非図示）に保存されたファイルとして存在している。これらは、実行時にＯＳやそれを利用するモジュールによってＰＣ１０２上のＲＡＭ（非図示）にロードされ、実行されるプログラムモジュールで有る。アプリケーション３０１は、ＰＣ１０２上のＲＡＭにロード後、画像形成装置１００への印刷ジョブの送信を実行する為に印刷ジョブの設定を実行可能にする。
【００１９】
本発明においては、“ユーザが近づいたら印刷“の印刷ジョブ生成を行う。プリンタドライバ３０２は、ＰＣ１０２上のＲＡＭにロードされた後、アプリケーション３０１から受信したパラメータに従って、印刷ジョブの生成を実行する。生成された印刷ジョブは、ファイルとして非図示の外部メモリに保存し、システムスプーラ２０４を経て画像形成装置１００に送信される仕組みになっている。
【００２０】
画像形成装置１００は、ＰＣ１０２から印刷ジョブを印刷ジョブ受信部３１１にて受信した後、印刷ジョブ制御部３１２にてＲＡＭ２０３に格納する。印刷ジョブ制御部３１２は、受信した印刷ジョブの滞留、実行、削除を処理する為の制御部である。ユーザ判別部３１３は、ユーザ判別センサ２０８により画像形成装置に近付いたユーザの判別を行う処理部で、ジョブ制御部に判別されたユーザ情報をＣＰＵ２０１によってジョブ制御部に通知する。印刷状況表示部３１４は、印刷ジョブ制御部にて滞留、実行、削除などによる処理をＰＡＮＥＬ２０７のＬＣＤに表示する為の制御部である。
【００２１】
印刷処理部３１５は、印刷ジョブ制御部から実行処理を依頼された印刷ジョブの印刷を実行する印刷制御部である。
【００２２】
図８はＰＣ１０２における“近づいたら印刷“の印刷ジョブを画像形成装置１００に送信する為のプリンタドライバ３０２の処理フロー図である。
【００２３】
プリンタドライバ３０２は、アプリケーションから印刷指示を受信する（８０１）。プリンタドライバ３０２は、印刷指示データに基づいて、近づいたら印刷の設定をＯＮにし、ユーザ情報をＰＣ１０２へのログイン情報またはプリンタドライバの設定画面上から設定し、印刷ジョブのパラメータに設定する。そして、印刷データと印刷パラメータを有する印刷ジョブを画像形成装置１００で解析可能なデータ（ＰＤＬ）に変換する（８０２）。
【００２４】
プリンタドライバ３０２は、変換された印刷ジョブをシステムスプーラに送信する（８０３）。尚、システムスプーラに送信された印刷ジョブは、ＰＣ１０２から画像形成装置１００に外部インターフェース経由で送信される。
【００２５】
次に画像形成装置１００の“近づいたら印刷”設定時の印刷ジョブ受信処理３１１を、図９の印刷ジョブの受信制御フローを示す。ＰＣ１０２から送信された印刷ジョブは、画像形成装置１００の外部Ｉ／Ｆ２０５にて受信する（９０１）。
【００２６】
受信したデータは、印刷ジョブを示すジョブＩＤを付加してＨＤＤ２１４に保存される（９０２）。受信した印刷ジョブの印刷パラメータから”近づいたら印刷”設定７０３がＯＮかどうかを判定し、ＯＮならステップ９０４に遷移し、ＯＦＦなら終了する（９０３）。
受信した印刷ジョブのジョブＩＤとユーザ情報７０４を”近づいたら印刷”ジョブ一覧１０７に追加する（９０４）。
【００２７】
次に画像形成装置１００の“近づいたら印刷”設定時の印刷ジョブ制御処理を図４のフローチャートを用いて説明する。尚、印刷ジョブを制御する為のプログラムは、画像形成装置１００のＲＯＭ２０２に記憶されており、ＲＡＭ２０３に読み出されＣＰＵ２０１によって実行される。
【００２８】
まず、フローチャートには無いが、画像形成装置１００は、印刷ジョブ受信部３１１にて、受信した印刷ジョブをＨＤＤ２１４に保存する。ＨＤＤ２１４が無い場合、画像形成装置１００は、印刷ジョブ受信部３１１にて受信した印刷ジョブをＲＡＭ２０３に保存する。“近づいたら印刷“が設定された印刷ジョブは、”近づいたら印刷”ジョブ一覧（以下、印刷ジョブ一覧とする）１０７にユーザ情報と印刷ジョブの受付番号を保存する。
【００２９】
ユーザ判別部３１３は、ユーザ判別センサ２０８により近付いたユーザのユーザ情報を検出し、印刷ジョブ制御部３１２にユーザ情報を送信する（４０１）。
【００３０】
印刷ジョブ制御部３１２は、ユーザ判別部から送信されたユーザ情報と一致する印刷ジョブの有無を印刷ジョブ一覧１０７から取得する（４０２）。
【００３１】
印刷ジョブ制御部３１２は、印刷ジョブ一覧１０７にステップ４０２で検出されたユーザの印刷ジョブが有ったらステップ３０４、無かったらステップ３０１に遷移する（４０３）。
【００３２】
印刷ジョブ制御部３１２は、ステップ４０２で検出されたユーザに関して、印刷ジョブ一覧１０７の先頭から順に印刷実行するように印刷ジョブを印刷処理部３１５に送信し、受信した印刷処理部３１５にて印刷ジョブが実行される。また、印刷処理部３１５に送信した印刷ジョブは、印刷ジョブ一覧１０７から削除される（４０４）。
【００３３】
印刷ジョブ制御部３１２は、ステップ４０２で検出されたユーザの印刷ジョブの状況を印刷状況表示部３１４に送信し、印刷状況表示部３１４は、印刷ジョブの状況（印刷済み、印刷中、印刷待ち）を表示する（４０５）。
【００３４】
印刷ジョブ制御部３１２は、印刷状況表示部３１４から中断ボタンが押下されたかの判定を受信し、押下されていたＹＥＳなら、ステップ４１１、押下されていないＮＯならステップ４０７に遷移する（４０６）。
【００３５】
印刷ジョブ制御部３１２は、ステップ４１１にて実行中の印刷ジョブに関して、印刷処理部３１５に停止指示し、印刷処理部３１５にて未だ印刷されていないページから印刷処理を中断し、未だ印刷されていないページ情報を印刷ジョブ制御部３１２に通知する。印刷ジョブ制御部３１２は、印刷されていないページから印刷中の印刷ジョブを非印刷ジョブとして滞留状態に遷移させる。また、実行待ちの印刷ジョブも滞留状態に遷移させる（４１１）。
【００３６】
印刷ジョブ制御部３１２は、ステップ４０２で検出されたユーザが離れた事を検知するまで、検出されたユーザの印刷ジョブを滞留状態にする（４１２）。
【００３７】
印刷ジョブ制御部３１２は、ユーザ判別センサ２０８にて、検出されたユーザが離れた事を検出した事で、ステップ４１１で滞留させた印刷ジョブを印刷ジョブリスト１０７に設定し、印刷待ち状態に戻す（４１３）。
【００３８】
印刷ジョブ制御部３１２は、ステップ４０６で中断ボタンを押下していない場合、印刷ジョブの処理終了を確認し、ジョブが終了したＹＥＳの場合、ステップ４０８に遷移し、ジョブが未終了のＮＯの場合、ステップ４０５に戻る（４０７）。
【００３９】
印刷ジョブ制御３１２は、ユーザが画像形成装置の前に居るかをユーザ判別センサ２０８で確認し、ユーザが居るＹＥＳの場合、ステップ４０９に遷移し、居ないＮＯの場合ステップ４０１に戻る（４０８）。
【００４０】
印刷ジョブ制御３１２は、印刷状況表示部３１４に印刷ジョブの終了表示を指示し、印刷状況表示部３１４は、ＰＡＮＥＬ２０７のＬＣＤ２１１にテップ４０２で検出されたユーザの印刷ジョブの印刷処理が終了した事を表示する（４０９）。
【００４１】
図４の印刷ジョブ制御フローにより、画像形成装置１００は、”近づいたら印刷”する設定の印刷ジョブに関して、ユーザが近づいたら印刷実行し、印刷状況を表示し、印刷途中で印刷処理の実行を中断する事ができる。また、印刷処理を中断した印刷ジョブは、再び”近づいたら印刷”するジョブのリスト１０７に設定する事で、再度ユーザが近づく事で印刷処理が再開される。
【００４２】
図５はステップ４０５にてＰＡＮＥＬ２０７のＬＣＤ２１１に表示される印刷ジョブ状況画面の一例である。この例では、図１に示したユーザＡが画像形成装置に近付いた時、印刷状況表示部３１４が生成する表示画面として、５０１のダイアログがポップアップ表示される。表示の切り替え方法は、ポップアップ表示の他、ステータス画面表示に切り替わる等、装置仕様に合わせて表示すれば良い。
【００４３】
印刷状況表示部３１４は、５０１のダイアログ画面にて、ユーザＡの印刷ジョブ状況と、各ジョブの出力済み、出力中、出力待ちのステータスを表示する。また、印刷状況表示部３１４は、５０２の中止ボタン、５０３の中断ボタンを表示する。印刷状況表示部３１４は、５０２の中止ボタンをタッチパネル２１２上で押下される事で、印刷ジョブの中止を行う。また、印刷状況表示部３１４は、５０３の中断ボタンをタッチパネル２１２上で押下される事で印刷ジョブの中断を実行し、ユーザＡが離れて再度近づくまでユーザＡの印刷ジョブの印刷は停止する。
【００４４】
５０４のボタンは、ポップアップ画面を消して、画像形成装置上で他の操作を実行する為のボタンで有る。このポップアップ画面は、ＰＡＮＥＬ２０７のキー２１３に割り当てられたステータス画面表示キー押下で再表示できる。
【００４５】
図６はプリンタドライバにおけるステップ８０２にて設定される印刷ジョブのパラメータ設定画面表示の一例で、プロパティ表示６００の例である。この例では、外部端末装置としてのＰＣ１０２の画面にて表示される画面で、画像形成装置のプロパティとして、ページ設定（原稿サイズ、出力用紙サイズ、部数）、仕上げ、給紙、印字品質、ユーザ情報、出力方法など印刷ジョブに設定される各種表示を行う。
【００４６】
ユーザ情報６０２にて、印刷ジョブのユーザ情報がＡで有る事を表示する。ユーザ情報Ａは、ＰＣ１０２にて行われるユーザ認証により表示される。ここで、ユーザ情報は、ユーザ固有に設定されたＩＤで、ユーザの容姿、ユーザの生態認証情報、ユーザが携帯するカード・端末情報などを基準に、ユーザ判別センサ２０８にて検出時に使用されるユーザ情報２１０と同じＩＤである。出力方法の“近づいたら印刷”６０１の表示は、出力方法として本発明による“近付いたら”印刷ジョブとして印刷ジョブを設定する事を意味する。
【００４７】
図７は”近づいたら印刷”ジョブのデータ形式を示す。”近づいたら印刷”ジョブ７００は、印刷用のパラメータ７０１と印刷データ７０２から構成される。印刷パラメータには、”近づいたら印刷”設定７０３とユーザ情報７０４が設定され、他に原稿サイズ、出力用紙サイズ、部数などが設定される。
【００４８】
以上の説明により、画像形成装置は、”近づいたら印刷”設定された印刷ジョブを印刷指示したユーザが近づく事で印刷処理が実行されるが、近づいたユーザに印刷状況を表示する事で、近づいたユーザはジョブの実行状況を知る事が出来る。また、印刷状況表示画面に中断指示手段を設ける事で、印刷途中でも、ユーザが中断指示して直ぐに画像形成装置から離れる事が出来る。さらに、印刷途中の印刷ジョブに関して、再度ユーザが近づく事で印刷を再開させる事が可能となる。
【符号の説明】
【００４９】
１００  画像形成装置、１０２  ＰＣ、２０１  ＣＰＵ、２０２  ＲＯＭ、
２０３  ＲＡＭ、２０４  ＳＲＡＭ、２０５  外部Ｉ／Ｆ、２０６  印刷装置、
２０７  ＰＡＮＥＬ、２０８  ユーザ判別センサ、２１４  ＨＤＤ
【図１】
2016203566.tif 000003
【図２】
2016203566.tif 000004
【図３】
2016203566.tif 000005
【図４】
2016203566.tif 000006
【図５】
2016203566.tif 000007
【図６】
2016203566.tif 000008
【図７】
2016203566.tif 000009
【図８】
2016203566.tif 000010
【図９】
2016203566.tif 000011